(57)【要約】【課題】駆動する人体検知センサを保護する構成の空気調和機を提供すること。【解決手段】本発明の空気調和機は、室内ユニットの筐体の一部を構成する前面枠１１と、前面枠の後ろに設けられ左右方向に駆動する人体検知センサ７と、人体検知センサ７の前かつ前面枠１１の前に人体検知センサ保護カバー１０と、前面枠１１の一部を繰り抜いた貫通穴１２とを備え、貫通穴１２の周囲において、人体検知センサ７が駆動しても人体検知センサ７の検知領域とならない箇所に凸状部を設け、凸状部で人体検知センサ保護カバー１０を後方側から支持する構成とした。【選択図】図５
2012087963.tif 000002
【特許請求の範囲】
【請求項１】
室内ユニットの筐体の一部を構成する前面枠と、前記前面枠の後ろに設けられ左右方向に駆動する人体検知センサと、前記人体検知センサの前かつ前記前面枠の前に人体検知センサ保護カバーと、前記前面枠の一部を繰り抜いた貫通穴とを備え、前記貫通穴の周囲において、前記人体検知センサが駆動しても前記人体検知センサの検知領域とならない箇所に凸状部を設け、前記凸状部で前記人体検知センサ保護カバーを後方側から支持する構成としたことを特徴とする空気調和機。
【請求項２】
前記貫通穴の上端部は円弧状に構成したことを特徴とする請求項１に記載の空気調和機。
【発明の詳細な説明】
【技術分野】
【０００１】
本発明は、人体検知センサ等で人体を検知して空調を行う空気調和機に関する。
【背景技術】
【０００２】
従来から、人体検知センサ等で人体を検知して空調を行う空気調和機が提案されている（例えば、特許文献１参照）。
【先行技術文献】
【特許文献】
【０００３】
【特許文献１】特開２００８−１０１８７１号公報
【発明の概要】
【発明が解決しようとする課題】
【０００４】
しかしながら、特許文献１のように赤外線センサを固定して熱源を検知する構成の場合、室内全体をカバーするためには、複数の赤外線センサが必要となる。そこで、少数の赤外線センサを駆動させて人体を検知しようとした場合、なるべく駆動機構を使用者に触れさせないようにしなければならないという課題を有していた。
【０００５】
本発明は、前記従来の課題を解決するもので、駆動する人体検知センサを保護する構成の空気調和機を提供することを目的とする。
【課題を解決するための手段】
【０００６】
前記従来の課題を解決するために、本発明の空気調和機は、室内ユニットの筐体の一部を構成する前面枠と、前面枠の後ろに設けられ左右方向に駆動する人体検知センサと、人体検知センサの前かつ前面枠の前に人体検知センサ保護カバーと、前面枠の一部を繰り抜いた貫通穴とを備え、貫通穴の周囲において、人体検知センサが駆動しても人体検知センサの検知領域とならない箇所に凸状部を設け、凸状部で人体検知センサ保護カバーを後方側から支持する構成としたことにより、人体検知センサを確実に保護することができる。
【発明の効果】
【０００７】
本発明は、駆動する人体検知センサを保護する構成の空気調和機を提供することができる。
【図面の簡単な説明】
【０００８】
【図１】本発明の実施の形態１における空気調和機の正面図
【図２】同実施の形態１における空気調和機の右断面図
【図３】同実施の形態１における人体検知センサユニット構成図
【図４】同実施の形態１における要部正面図
【図５】同実施の形態１における要部正面図
【図６】同実施の形態１における要部正面図
【発明を実施するための形態】
【０００９】
第１の発明の空気調和機は、室内ユニットの筐体の一部を構成する前面枠と、前面枠の後ろに設けられ左右方向に駆動する人体検知センサと、人体検知センサの前かつ前面枠の前に人体検知センサ保護カバーと、前面枠の一部を繰り抜いた貫通穴とを備え、貫通穴の周囲において、人体検知センサが駆動しても人体検知センサの検知領域とならない箇所に凸状部を設け、凸状部で人体検知センサ保護カバーを後方側から支持する構成としたこと
により、人体検知センサを確実に保護することができる。
【００１０】
第２の発明の空気調和機は、特に第１の発明において、貫通穴の上端部は円弧状に構成したことにより、人体検知センサが駆動したときに、人体検知センサで貫通穴の上部を検知してしまい熱源ではなくノイズとして検知してしまうが、円弧状にすることで人体検知センサが左から右へ駆動したときに検知されるノイズを一律にすることができ、熱源を正確に検知することができる。
【００１１】
以下、本発明の実施の形態について、図面を参照しながら説明する。なお、この実施の形態によって本発明が限定されるものではない。
【００１２】
（実施の形態１）
図１は、本実施の形態における空気調和機の室内ユニットの正面斜視図、図２は室内ユニット１の縦断面図である。図１および図２に示すように室内ユニット１は、内部に室内空気と冷媒とが熱交換を行なう室内熱交換器２を備え、略Ｖ字形状の室内熱交換器２の内方に加熱または冷却された空気を室内へ送風する室内送風機３を有している。
【００１３】
また、室内ユニット１の吹出し口には、室内送風機３にて左右方向に吹出される風の吹出し方向を変更する左右風向羽根４（本実施の形態では、第１左右風向羽根４Ａと第２左右風向羽根４Ｂ）を有しており、それぞれが独立して左右方向に動作する。また、室内ユニット１の吹出し口には、上下方向に吹出し方向を変更する上下風向羽根５（本実施の形態では、第１上下風向羽根５Ａと第２上下風向羽根５Ｂ）を有して下り、それぞれが独立して上下方向に動作する。
【００１４】
また、吹出し口の上部には、室内ユニット１の筐体内部に赤外線の変化を検出する人体検知センサユニット６を配置している。
【００１５】
図３は、人体検知センサユニット６の構成図である。図３において、本実施の形態の人体検知センサユニットは、被空調エリア（屋内）の遠方エリアの赤外線変化を検知する遠距離用人体検知センサ７Ａおよび近傍エリアの赤外線変化を検知する近距離用人体検知センサ７Ｂを有している。なお、本実施の形態では遠距離用人体検知センサ７Ａと近距離用人体検知センサ７Ｂとを有しているが、これに限定されることはなく、能力の小さいサイズの空気調和機であれば、大きな部屋での空調を想定していないため、近距離用人体検知センサ７Ｂのみを設けて構成してもよい。
【００１６】
そして、遠距離用人体検知センサ７Ａと近距離用人体検知センサ７Ｂとを同期させて同じ方向に駆動するステッピングモータ８、ステッピングモータ８の回転を伝達する為の伝達ロッド９Ａ、伝達ロッドを介して伝わったステッピングモータ８の回転を遠距離用人体検知センサ７Ａおよび近距離用人体検知センサ７Ｂに伝達する為の連結レバーアーム９Ｂを有する。
【００１７】
そして、連結レバーアーム９Ｂの作用により、遠距離用人体検知センサ７Ａと近距離用人体検知センサ７Ｂとが、ステッピングモータ８の回転に対し、同一量の回転となるため、遠距離用人体検知センサ７Ａと近距離用人体検知センサ７Ｂとを同時に同一左右方向に向かせることが可能である。
【００１８】
なお、人体検知センサユニット６は図１に示される通り、室内送風機３によって吹出される風の吹出し口上部に設置し、室内送風機３によって吹出される加熱又は冷却された空気によって遠距離用人体検知センサ７Ａおよび近距離用人体検知センサ７Ｂが誤検知しないような取付け構成としている。例えば、温風や冷風が直接当たる箇所に設けてしまうと
、その風の影響を受けてしまい、誤検知をしてしまう。
【００１９】
具体的には室内ユニット１の前面左側に貫通穴１２を設けており（図４参照）、その貫通穴１２の背面側に人体検知センサ７を配置している。そして、人体検知センサ７の前面側に人体検知センサ保護カバー１０を設けている。
【００２０】
特に、空気調和機の停止時には前面パネルが閉じており、人体検知センサユニットが隠れるような構成となっており、空気調和機の運転時には前面パネルが開き、人体検知センサユニットが現れる構成となっている。そのためデザイン性がよく、また、前面パネルに人体検知センサユニットを取り付ける必要がないため、人体検知センサユニットから出ているリード線等の引き回しも容易である。なお、図１は、前面パネルが開いた状態の斜視図を示している。
【００２１】
次に、人体検知センサ保護カバー１０について説明する。図４から図６は人体検知センサ７が配置されている周辺の要部構成図である。図４から図６に示すように、人体検知センサ７の前には使用者が人体検知センサを触らないように人体検知センサ保護カバー１０を設けている。人体検知センサ保護カバー１０は、人体検知センサ７自体をキズや汚れから保護する役割と、人体検知センサ７の検出感度を調整する役割と、室内ユニット１の意匠性を向上させる役割とを有している。
【００２２】
特に、人体検知センサ７の検出感度を調整する役割において、人体検知センサ保護カバー１０を厚くしすぎると検出感度不足となってしまい、熱源が検出できない可能性がある。そこで人体検知センサ保護カバー１０はある程度薄くする必要がある。人体検知センサ保護カバー１０の厚みは、人体検知センサ７自体の感度にもよるので一律に決めることはできないが、人体検知センサ７から所定の距離で熱源が検知できるかどうかを実験的に算出し厚みが決定される。例えば、本実施の形態の人体検知センサ保護カバー１０は材質にポリエチレンを使用し、厚みを０．０４ｍ程度としている。
【００２３】
しかしながら、人体検知センサ保護カバー１０の厚みを薄くしすぎると、人体検知センサ保護カバー１０を外部から触ったときに、人体検知センサ７側へ凹みが生じてしまい、人体検知センサ保護カバー１０を介して人体検知センサ７に影響を及ぼしてしまう可能性がある。
【００２４】
そこで、本実施の形態では、室内ユニット１の前面側筐体の一部を構成する前面枠１１に、前面枠１１の後ろに設けられ左右方向に駆動する人体検知センサが室内を検知できるように繰り抜いた略長方形型の貫通穴１２を設けている。
【００２５】
そして、貫通穴１２の下側の輪郭の一部に凸状部１３を設けており、凸状部１３で人体検知センサ保護カバー１０を後方側から支持する構成としている。これによって、人体検知センサ保護カバー１０を外側から触られた場合であっても、凸状部１３によって内側への凹みを抑制することができ、人体検知センサ７を保護することができる。
【００２６】
ここで凸状部１３を設ける位置について説明する。人体検知センサ７は駆動しているため、人体検知センサ７の検知領域に掛かってこない位置に、凸状部１３を設ける必要がある。そのため凸状部１３の位置は、人体検知センサ７の取り付け位置によって左右されることになり、人体検知センサ７の取り付け位置によっては、貫通穴１２の上側の輪郭であってもよい。
【００２７】
一方、貫通穴１２の周囲において、人体検知センサ保護カバー１０を後方側から支持する領域は大きいほど、人体検知センサ保護カバー１０の撓みを防ぐことができる。貫通穴
１２の大きさは、人体検知センサ保護カバー１０の大きさよりも小さいため、貫通穴１２の周囲領域で人体検知センサ保護カバー１０のほとんどを支持しなければならない。
【００２８】
しかしながら、貫通穴１２自体を小さくして人体検知センサ保護カバー１０を支持する領域を増加させると、貫通穴１２の周囲の領域が人体検知センサ７で検知する領域に含まれてしまい、誤検知してしまう。
【００２９】
そこで、本実施の形態では、貫通穴１２の上端部１４を中央側が凸となるような円弧状としている。これは人体検知センサ７が駆動したときに貫通穴１２の上端部を検知してしまうが、人体検知センサ７が左から右（もしくは右から左）に動くまで、あえて一律に誤検知させることで、すべての取得データから一律ノイズを排除することができる。
【００３０】
さらに、人体検知センサ７から貫通穴１２の上端部までの距離は、中央側が一番近く、左右側が一番遠くなる。つまり貫通穴１２の中央側が凸となるようにすることで、人体検知センサ７から貫通穴１２の上端部までの距離を略一定とすることができる。
【００３１】
以上のように構成することで、人体検知センサ保護カバー１０と貫通穴１２の周囲領域との温度差による誤検知を排除し、熱源の誤検知を抑制することができる。
【産業上の利用可能性】
【００３２】
本発明の空気調和機は、駆動型人体検知センサのみを用いて、人体と熱源との特定を行なうため、コストを下げることができるとともに、精度よく検知することができるので、室内に存在する人体の有無に応じて最適な空調を実現することができる。よって、本実施の形態では、壁掛け型の室内機を有する空気調和機について説明したが、これに限定されることはなく、例えば、天井埋め込み型の室内機においても、本発明を適用することは可能である。
【符号の説明】
【００３３】
１  室内ユニット
２  室内熱交換器
３  室内送風機
６  人体検知センサユニット
７  人体検知センサ
７Ａ  遠距離用人体検知センサ
７Ｂ  近距離用人体検知センサ
８  ステッピングモータ
９Ａ  伝達ロッド
９Ｂ  連結レバーアーム
１０  人体検知センサ保護カバー
１１  前面枠
１２  貫通穴
１３  凸状部
【図１】
2012087963.tif 000003
【図２】
2012087963.tif 000004
【図３】
2012087963.tif 000005
【図４】
2012087963.tif 000006
【図５】
2012087963.tif 000007
【図６】
2012087963.tif 000008